(57)【要約】【課題】広告コンテンツを表示するデジタルサイネージの設置位置へ無線端末のユーザを積極的に誘導すること。【解決手段】実施形態に係る情報提供装置は、無線端末とデジタルサイネージとを連動させて行う参加型イベントの開催と、デジタルサイネージの設置位置とを告知する告知情報を記憶する記憶手段と、デジタルサイネージの設置位置を含む通信エリアを有する無線ＬＡＮアクセスポイントを経由してサイトへアクセス可能な無線端末を、無線ＬＡＮアクセスポイントから送信される情報に基づいて検出する端末検出手段と、参加型イベントが開催される場合に、端末検出手段によって検出される無線端末に対して、告知情報を無線ＬＡＮアクセスポイント経由で通知する通知手段とを備える。【選択図】図１Ｂ
2014157262.tif 000002
【特許請求の範囲】
【請求項１】
無線端末とデジタルサイネージとを連動させて行う参加型イベントの開催と、前記デジタルサイネージの設置位置とを告知する告知情報を記憶する記憶手段と、
前記デジタルサイネージの設置位置を含む通信エリアを有する無線ＬＡＮアクセスポイントを経由してサイトへアクセス可能な無線端末を、当該無線ＬＡＮアクセスポイントから送信される情報に基づいて検出する端末検出手段と、
前記参加型イベントが開催される場合に、前記端末検出手段によって検出される無線端末に対して、前記告知情報を前記無線ＬＡＮアクセスポイント経由で通知する通知手段と、を備える
ことを特徴とする情報提供装置。
【請求項２】
前記通知手段は、
前記参加型イベントへの無線端末の参加状態に応じて、前記参加型イベントへ未参加の無線端末に対し前記無線ＬＡＮアクセスポイント経由で前記告知情報を通知する
ことを特徴とする請求項１に記載の情報提供装置。
【請求項３】
前記参加型イベントへの無線端末の参加状態に応じて、前記デジタルサイネージへの広告コンテンツの表示料金を算出する算出手段を備える
ことを特徴とする請求項１または２に記載の情報提供装置。
【請求項４】
前記告知情報を通知後に前記参加型イベントに参加した無線端末に対し、前記デジタルサイネージへ広告コンテンツを提供する広告主からの特典情報を送信する特典送信手段を備える
ことを特徴とする請求項１〜３のいずれか１つに記載の情報提供装置。
【請求項５】
前記参加型イベントへの無線端末の参加状態を、前記無線ＬＡＮアクセスポイントから送信される情報に基づいて検出する参加状態検出手段を備える
ことを特徴とする請求項２〜４のいずれか１つに記載の情報提供装置。
【請求項６】
前記無線ＬＡＮアクセスポイントにおける前記無線端末の滞在時間および／または電波強度を検出する端末状態検出手段を備え、
前記通知手段は、
前記端末状態検出手段によって検出された滞在時間および／または電波強度が所定条件を満たす無線端末に対して前記無線ＬＡＮアクセスポイント経由で前記告知情報を通知する
ことを特徴とする請求項１〜５のいずれか１つに記載の情報提供装置。
【請求項７】
コンピュータが実行する情報提供方法であって、
デジタルサイネージの設置位置を含む通信エリアを有する無線ＬＡＮアクセスポイントを経由してサイトへアクセス可能な無線端末を、当該無線ＬＡＮアクセスポイントから送信される情報に基づいて検出する端末検出ステップと、
前記無線端末と前記デジタルサイネージとを連動させて行う参加型イベントが開催される場合に、前記端末検出ステップによって検出される無線端末に対して、前記参加型イベントの開催と前記デジタルサイネージの設置位置とを告知する告知情報を記憶手段から取得して前記無線ＬＡＮアクセスポイント経由で通知する通知ステップと、を含む
ことを特徴とする情報提供方法。
【発明の詳細な説明】
【技術分野】
【０００１】
本発明は、情報提供装置および情報提供方法に関する。
【背景技術】
【０００２】
近年、通信ネットワークを介して配信されるデジタルコンテンツを表示するデジタルサイネージと呼ばれる電子広告媒体が、店舗、街頭、駅、空港、ホテルなどの様々な場所に設置されている。広告主は、通信ネットワークを介して広告を出稿することでデジタルサイネージでの広告コンテンツの表示を行うことができる。
【０００３】
かかるデジタルサイネージに対し、カメラで撮像した顔データに基づいて性別層や年齢層を判定し、その判定結果に応じた広告コンテンツを表示する技術が提案されている（例えば、特許文献１参照）。
【先行技術文献】
【特許文献】
【０００４】
【特許文献１】特開２０１２−２５２６１３号公報
【発明の概要】
【発明が解決しようとする課題】
【０００５】
しかしながら、デジタルサイネージの周囲にいながらデジタルサイネージに表示される広告コンテンツを視認することなく通過する人も多く、せっかくデジタルサイネージに広告コンテンツを表示しても、広告効果を十分に得ることができない場合があった。
【０００６】
本願は、上記に鑑みてなされたものであって、広告コンテンツを表示するデジタルサイネージの設置位置へ無線端末のユーザを積極的に誘導することができる情報提供装置および情報提供方法を提供することを目的とする。
【課題を解決するための手段】
【０００７】
本願に係る情報提供装置は、無線端末とデジタルサイネージとを連動させて行う参加型イベントの開催と、前記デジタルサイネージの設置位置とを告知する告知情報を記憶する記憶手段と、前記デジタルサイネージの設置位置を含む通信エリアを有する無線ＬＡＮアクセスポイントを経由してサイトへアクセス可能な無線端末を、当該無線ＬＡＮアクセスポイントから送信される情報に基づいて検出する端末検出手段と、前記参加型イベントが開催される場合に、前記端末検出手段によって検出される無線端末に対して、前記告知情報を前記無線ＬＡＮアクセスポイント経由で通知する通知手段と、を備えることを特徴とする。
【発明の効果】
【０００８】
実施形態の一態様によれば、広告コンテンツを表示するデジタルサイネージの設置位置へ無線端末のユーザを積極的に誘導することができる情報提供装置および情報提供方法を提供することができる。
【図面の簡単な説明】
【０００９】
【図１Ａ】図１Ａは、実施形態に係る情報提供システムの構成例を示す図である。
【図１Ｂ】図１Ｂは、実施形態に係る情報提供方法の説明図である。
【図２】図２は、実施形態に係る情報提供システムの具体的構成例を示す図である。
【図３Ａ】図３Ａは、無線ＬＡＮアクセスポイントと無線端末との間のセッション確立のシーケンスを示す図（その１）である。
【図３Ｂ】図３Ｂは、無線ＬＡＮアクセスポイントと無線端末との間のセッション確立のシーケンスを示す図（その２）である。
【図４】図４は、イベント情報ＤＢに記憶されるイベント情報テーブルの一例を示す図である。
【図５】図５は、広告情報ＤＢに記憶される広告情報テーブルの一例を示す図である。
【図６】図６は、ＡＰ情報ＤＢに記憶されるＡＰ情報テーブルの一例を示す図である。
【図７】図７は、イベント情報ＤＢに記憶される告知情報テーブルの一例を示す図である。
【図８】図８は、無線端末の表示部に表示される告知情報の例を示す図である。
【図９】図９は、無線ＬＡＮアクセスポイントにおける情報処理のフローチャートである。
【図１０】図１０は、情報提供装置における情報処理のフローチャートである。
【図１１】図１１は、図１０に示す通知処理のフローチャート図である。
【図１２】図１２は、図１０に示すイベント参加処理のフローチャート図である。
【発明を実施するための形態】
【００１０】
以下に、本願に係る情報提供装置および情報提供方法の実施形態について図面を参照しつつ詳細に説明する。なお、この実施形態により本願に係る情報提供装置および情報提供方法が限定されるものではない。
【００１１】
〔１．情報提供システムの概要〕
まず、実施形態に係る情報提供システムの概要について説明する。図１Ａは、実施形態に係る情報提供システムの構成例を示す図である。
【００１２】
図１Ａに示すように、実施形態に係る情報提供システムは、情報提供装置と、無線ＬＡＮ（Local  Area  Network）アクセスポイントと、デジタルサイネージとを備え、無線端末とデジタルサイネージとを連動させて行う参加型イベントを実行する。参加型イベントは、例えば、クイズ大会やゲーム大会などの種々のイベントである。
【００１３】
ゲーム大会で実施されるゲームは、例えば、無線端末を操作部としてデジタルサイネージに表示された車両を操作するレーシングゲームや、無線端末を操作部としてデジタルサイネージに表示された敵を攻撃する戦闘ゲームである。
【００１４】
デジタルサイネージには、参加型イベントに関連するコンテンツ（以下、イベントコンテンツと記載する）の他、広告コンテンツが表示され、参加型イベントに参加している無線端末のユーザに対して、広告コンテンツによる広告が行われる。
【００１５】
無線ＬＡＮアクセスポイントは、デジタルサイネージに対応して配置され、デジタルサイネージの周囲を通信エリアとする。かかる無線ＬＡＮアクセスポイントは、デジタルサイネージおよび無線端末との間で無線ＬＡＮ通信を行うことができ、例えば、情報提供装置から送信されるコンテンツをデジタルサイネージおよび無線端末へ送信する。デジタルサイネージおよび無線端末は、情報提供装置から送信されるコンテンツを表示する。
【００１６】
実施される参加型イベントがクイズ大会である場合、情報提供装置は、イベントコンテンツとして、デジタルサイネージに対しては、例えば、クイズの問題および広告コンテンツを表示するサイネージ画面の情報を送信し、クイズ大会に参加している無線端末（以下、参加端末と記載する場合がある）に対しては、クイズの答えの選択肢を表示する端末画面の情報を送信する。参加端末のユーザは、サイネージ画面と端末画面とを見ながら、例えば、参加端末の操作部（図示せず）を操作することで、情報提供システムで提供される参加型イベントを楽しむことができる。
【００１７】
情報提供装置は、参加型イベントの開催とデジタルサイネージの設置位置とを告知する告知情報をデータベース（以下、ＤＢと記載する）に記憶しており、イベントに参加していない無線端末（以下、未参加端末と記載する場合がある）に対して告知情報を送信する。これにより、未参加端末のユーザに対して参加型イベントの開催を通知することができ、広告コンテンツを表示するデジタルサイネージの設置位置へ未参加端末のユーザを積極的に誘導することができる。
【００１８】
以下、図１Ｂを参照して、情報提供システムによる情報提供方法の一例について説明する。図１Ｂは、実施形態に係る情報提供方法の説明図である。
【００１９】
図１Ｂに示すように、参加端末は、イベント参加状態であり、例えば、情報提供装置からのイベントコンテンツの受信および表示、情報提供装置に対する操作情報の送信などを行うことができる（ステップＳ１）。なお、無線端末は、情報提供装置を宛先としたエントリ要求を無線ＬＡＮアクセスポイント経由で送信することによって、情報提供装置との間で通信が確立し、イベント参加状態へ移行する。
【００２０】
一方、未参加端末は、無線ＬＡＮアクセスポイントの通信エリアに進入すると、無線ＬＡＮアクセスポイントに対して接続要求を送信する（ステップＳ２）。無線ＬＡＮアクセスポイントは、接続要求を送信した未参加端末と通信を確立し、その後、未参加端末の端末情報（例えば、端末ＩＤ）を情報提供装置へ繰り返し送信する（ステップＳ３）。
【００２１】
無線ＬＡＮアクセスポイントと通信を確立してウェブサーバにアクセス可能となった未参加端末からサイトサーバを宛先とするページ要求が送信されると（ステップＳ４）、未参加端末からのページ要求をウェブサーバへ転送する（ステップＳ５）。
【００２２】
ウェブサーバは、未参加端末からのページ要求に対応するウェブページを内部の記憶部から読み出し、未参加端末を宛先として読み出したウェブページを無線ＬＡＮアクセスポイントへ送信する（ステップＳ６）。無線ＬＡＮアクセスポイントは、ウェブサーバから送信されるウェブページを未参加端末へ送信する（ステップＳ７）。未参加端末は、無線ＬＡＮアクセスポイント経由でウェブサーバから受信したウェブページを表示する（ステップＳ８）。
【００２３】
また、情報提供装置は、無線ＬＡＮアクセスポイントから送信される端末情報に基づき、未参加端末が参加型イベントに参加しているか否かを判定する（ステップＳ９）。情報提供装置は、未参加端末の状態が所定の条件を満たすと判定すると、参加型イベントの開催とデジタルサイネージの設置位置とを告知する告知情報を、未参加端末を宛先として無線ＬＡＮアクセスポイントへ送信する（ステップＳ１０）。無線ＬＡＮアクセスポイントは、情報提供装置から送信される告知情報を未参加端末へ送信する（ステップＳ１１）。
【００２４】
未参加端末は、例えば、図１Ａに示すように、無線ＬＡＮアクセスポイント経由で情報提供装置から受信した告知情報を含む端末画面を表示する（ステップＳ１２）。図１Ａに示す例では、ステップＳ８において表示したウェブページ上に、告知情報が重畳表示されるが、かかる表示例に限定されるものではない。例えば、未参加端末は、ウェブページ内に設定された枠に告知情報を表示することができる。
【００２５】
このように、実施形態に係る情報提供装置は、デジタルサイネージの設置位置を含む通信エリアを有する無線ＬＡＮアクセスポイントを経由してサイトへアクセス可能な無線端末を、無線ＬＡＮアクセスポイントから送信される情報に基づいて検出する。そして、情報提供装置は、参加型イベントが開催される場合に、検出される無線端末に対して、告知情報を無線ＬＡＮアクセスポイント経由で通知する。これにより、デジタルサイネージの設置位置へ無線端末のユーザを積極的に誘導することができる。
【００２６】
以下、上述した情報提供システムについて、具体的構成および具体的処理の内容について図面を参照して説明する。
【００２７】
〔２．情報提供システム１〕
まず、図２を用いて、実施形態に係る情報提供システムの構成例について説明する。図２は、実施形態に係る情報提供システムの具体的構成例を示す図である。
【００２８】
図２に示すように、情報提供システム１は、デジタルサイネージ２1〜２m（以下、デジタルサイネージ２と総称する）と、無線ＬＡＮアクセスポイント３1〜３m（以下、無線ＬＡＮアクセスポイント３と総称する）と、情報提供装置４とを有する。無線ＬＡＮアクセスポイント３および情報提供装置４は、通信ネットワーク７を介して相互に通信可能に接続される。通信ネットワーク７は、例えば、インターネットなどのＷＡＮ（Wide  Area  Network）であり、例えば、ウェブサーバ６なども接続される。
【００２９】
デジタルサイネージ２は、例えば、液晶ディスプレイ、プラズマディスプレイ、有機ＥＬディスプレイなどのディスプレイやプロジェクタを備える。かかるデジタルサイネージ２は、無線／有線ＬＡＮ通信機能を有しており、例えば、無線ＬＡＮ経由の場合には、それぞれ無線ＬＡＮアクセスポイント３を介して情報提供装置４からイベントコンテンツを受信して表示することができる。また、デジタルサイネージ２は、有線ＬＡＮ経由で無線ＬＡＮアクセスポイント３や他のネットワークを介して情報提供装置４からイベントコンテンツを受信して表示することもできる。
【００３０】
無線ＬＡＮアクセスポイント３は、デジタルサイネージ２の設置場所に対応して設けられる。図２に示す例では、例えば、無線ＬＡＮアクセスポイント３1は、デジタルサイネージ２1の設置場所に対応して設けられ、無線ＬＡＮアクセスポイント３1の通信エリア８1にデジタルサイネージ２1が含まれる。また、無線ＬＡＮアクセスポイント３mは、デジタルサイネージ２mの設置場所に対応して設けられ、無線ＬＡＮアクセスポイント３mの通信エリア８mにデジタルサイネージ２mが含まれる。
【００３１】
なお、例えば、デジタルサイネージ２の設置場所である店舗の面積が大きい場合、一つの店舗内に複数の無線ＬＡＮアクセスポイント３を設置することもできる。また、無線ＬＡＮアクセスポイント３1〜３mの通信エリア８1〜８m（以下、ＡＰ通信エリア８1〜８mと記載する場合がある）を区別する必要がない場合には、ＡＰ通信エリア８と総称する。
【００３２】
無線端末５1〜５n（以下、無線端末５と総称する）は、例えば、無線ＬＡＮ通信機能を搭載した端末装置であり、例えば、スマートフォン、タブレットＰＣ（Personal  computer）、ゲーム機などである。かかる無線端末５は、無線ＬＡＮアクセスポイント３の通信エリア８内では、無線ＬＡＮアクセスポイント３経由で情報提供装置４やウェブサーバ６にアクセスが可能である。
【００３３】
以下、情報提供システム１を構成する無線ＬＡＮアクセスポイント３および情報提供装置４について、さらに詳細に説明する。
【００３４】
〔３．無線ＬＡＮアクセスポイント３の構成〕
まず、無線ＬＡＮアクセスポイント３の構成について具体的に説明する。図２に示すように、無線ＬＡＮアクセスポイント３は、無線ＬＡＮ通信部２１と、ＷＡＮ通信部２２と、制御部２３とを有する。
【００３５】
無線ＬＡＮ通信部２１は、デジタルサイネージ２の設置場所を含む領域がその通信エリア８となるように設置される。かかる無線ＬＡＮ通信部２１は、無線ＬＡＮ通信を行う通信インタフェースであり、無線ＬＡＮ通信機能を搭載した無線端末５との間で情報の送受信を行う。なお、無線ＬＡＮとして、例えば、ＩＥＥＥ８０２．１１によって規定される無線ＬＡＮなどがあるが、かかる規格の無線ＬＡＮに限定されるものではない。
【００３６】
ＷＡＮ通信部２２は、通信ネットワーク７に接続され、通信ネットワーク７を介してＷＡＮ側装置（例えば、情報提供装置４やウェブサーバ６）との間で情報の送受信を行う。かかるＷＡＮ通信部２２は、通信ネットワーク７との接続を有線または無線で行う。
【００３７】
制御部２３は、情報中継処理を行う中継部２５と、無線端末５の検出処理を行う検出部２６を備えており、以下に説明する情報処理の機能や作用を実現または実行する。なお、制御部２３の内部構成は、かかる構成に限られず、後述する情報処理を行う構成であれば他の構成であってもよい。
【００３８】
中継部２５は、例えば、無線端末５から無線ＬＡＮ通信部２１を介して取得した情報をＷＡＮ通信部２２からＷＡＮ側装置へ送信し、また、ＷＡＮ側装置からＷＡＮ通信部２２を介して取得した情報を無線ＬＡＮ通信部２１から無線端末５へ送信する。
【００３９】
なお、無線ＬＡＮアクセスポイント３からＷＡＮ側装置への情報送信は、例えば、無線ＬＡＮアクセスポイント３に割り当てられる通信ネットワーク７のアドレスを送信元アドレスとし、ＷＡＮ側装置に割り当てられる通信ネットワーク７のアドレスを送信先アドレスとしたパケット通信により行われる。通信ネットワーク７のアドレスは、例えば、ＷＡＮ通信部２２に割り当てられるアドレスであり、例えば、ＩＰアドレスである。
【００４０】
検出部２６は、無線端末５から送信される無線パケットを無線ＬＡＮ通信部２１を介して取得することで、無線端末５の存在を検出する。図３Ａおよび図３Ｂは、無線ＬＡＮアクセスポイント３と無線端末５との間のセッション確立のシーケンスを示す図である。
【００４１】
図３Ａに示す例では、無線端末５から周期的にプローブ要求と呼ばれる無線パケットがブロードキャストなどによって送信されており、検出部２６は、かかる無線パケットを無線ＬＡＮ通信部２１経由で取得することで、無線端末５の存在を検出する。
【００４２】
プローブ要求にはＢＳＳＩＤ（Basic  Service  Set  Identifier）が含まれており、検出部２６は、無線ＬＡＮ通信部２１のＢＳＳＩＤと一致する場合に、プローブ応答を無線端末５へ送信する。プローブ応答を受信した無線端末５は、自動通信の設定がされている場合、通信中状態へ移行する。
【００４３】
通信中状態への移行は、図３Ａに示すように、アソシエーション要求とアソシエーション応答によりセッションを確立することによって行われ、その後、無線端末５と無線ＬＡＮ通信部２１との間で、データフレームやコントロールフレームの送受信が行われて通信中状態になる。
【００４４】
また、検出部２６は、周期的に無線パケットが送信されない無線端末５に対して、例えば、図３Ｂに示すように、ビーコンと呼ばれる無線パケットを無線ＬＡＮ通信部２１を介してブロードキャストし、かかるビーコンに対するアソシエーション要求を受信することで、無線端末５の存在を検出する。アソシエーション要求を受信した検出部２６は、アソシエーション応答を無線端末５へ送信することによってセッションを確立し、無線端末５と無線ＬＡＮ通信部２１との間を通信中状態にする。
【００４５】
検出部２６は、通信中状態へ移行すると、その後、通信中状態が解除されるまで繰り返し無線パケットを受信しており、無線端末５の存在を検出している状態である。なお、無線端末５から切断要求があった場合や、無線端末５と無線ＬＡＮ通信部２１との間で無線パケットを送受信できなくなった場合に、通信中状態が解除される。
【００４６】
検出部２６は、例えば無線端末５を検出したと判定すると、無線端末５の端末情報をＷＡＮ通信部２２を介して情報提供装置４へ送信する。具体的には、検出部２６は、無線端末５から送信される無線パケットに含まれる端末ＩＤを抽出し、さらに電波強度を検出する。
【００４７】
端末ＩＤは、例えば、無線端末５の無線ＬＡＮ通信部のＭＡＣアドレスであり、無線パケットに付加されて無線端末５から送信される。電波強度は、無線ＬＡＮアクセスポイント３で受信される無線信号の電波強度である。なお、電波強度は、無線端末５において取得された電波受信強度（ＲＳＳＩ：Received  Signal  Strength  Indication）であってもよい。この場合、電波強度の情報を含む無線信号が無線端末５から無線ＬＡＮアクセスポイント３へ送信される。
【００４８】
検出部２６は、無線端末５の端末ＩＤおよび電波強度の情報に加え、ＡＰ−ＩＤおよび通信中状態であるか否かの情報を端末情報として、情報提供装置４へ送信する。ＡＰ−ＩＤとしては、例えば、ＷＡＮ通信部２２に割り当てられる通信ネットワーク７のネットワークアドレスを用いることができる。
【００４９】
また、検出部２６は、ＡＰ通信エリア８での無線端末５の滞在時間をカウントすることもでき、この場合、無線端末５の滞在時間を端末情報に含めて情報提供装置４へ送信することもできる。
【００５０】
〔４．情報提供装置４の構成〕
次に、実施形態に係る情報提供装置４の具体的構成について説明する。図２に示すように、情報提供装置４は、通信部３０と、記憶部３１と、制御部３２とを有する。さらに、記憶部３１は、イベント情報ＤＢ４１と、ＡＰ情報ＤＢ４２と、広告情報ＤＢ４３とを有し、制御部３２は、イベント部５１と、検出部５２と、情報提供部５３と、算出部５４と、特典付与部５５とを有する。
【００５１】
通信部３０は、ＮＩＣ（Network  Interface  Card）等のインタフェースである。制御部３２は、通信部３０および通信ネットワーク７を介して、無線ＬＡＮアクセスポイント３や、無線ＬＡＮアクセスポイント３を介した無線端末５との間で各種の情報を送受信する。
【００５２】
イベント情報ＤＢ４１、ＡＰ情報ＤＢ４２および広告情報ＤＢ４３は、例えば、ハードディスク、ＲＡＭ（Random  Access  Memory)、フラッシュメモリ等の半導体メモリ素子、光ディスク等の記憶装置である。なお、イベント情報ＤＢ４１、ＡＰ情報ＤＢ４２および広告情報ＤＢ４３を一つのＤＢとしてもよい。
【００５３】
制御部３２は、例えば、ＡＳＩＣ（Application  Specific  Integrated  Circuit）やＦＰＧＡ（Field  Programmable  Gate  Array）等の集積回路により実現される。また、制御部３２は、ＣＰＵ（Central  Processing  Unit）またはＭＰＵ（Micro  Processing  Unit）によって内部の記憶装置に記憶されたプログラムがＲＡＭを作業領域として実行されることで、イベント部５１、検出部５２、情報提供部５３、算出部５４および特典付与部５５として機能する。なお、制御部３２の構成は、かかる構成に限られず、後述する情報処理を行う構成であれば他の構成であってもよい。
【００５４】
（イベント部５１）
イベント部５１は、デジタルサイネージ２毎に参加型イベントを実行する処理部である。かかるイベント部５１は、イベント情報ＤＢ４１に記憶されたイベント情報テーブルに基づいて、参加型イベントを実行する。
【００５５】
図４は、イベント情報テーブルの一例を示す図である。図４に示すように、イベント情報テーブルは、「イベントＩＤ」毎に、「イベント名」、「開催日時」、「ＤＳ−ＩＤ」、「ＡＰ−ＩＤ」、「参加定員」および「告知期間」が関連付けられた情報である。
【００５６】
「イベントＩＤ」は、参加型イベント毎に割り当てられる識別情報である。「イベント名」は参加型イベントの名称であり、「開催日時」は、参加型イベントの開催日時である。「ＤＳ−ＩＤ」は、デジタルサイネージ２毎に割り当てられる識別情報である。
【００５７】
「ＡＰ−ＩＤ」は、無線ＬＡＮアクセスポイント３の通信ネットワーク７側の識別情報であり、例えば、無線ＬＡＮアクセスポイント３に割り当てられたＩＰアドレスである。なお、ＡＰ−ＩＤは、通信ネットワーク７上で送受信される通信情報に含ませることができる固有情報であればよく、ＩＰアドレスに限られるものではない。
【００５８】
「参加定員」は、参加型イベントに一度に参加できる無線端末５の台数である。「告知期間」は、参加型イベントに対応する告知情報を無線端末５へ通知する期間である。
【００５９】
図４に示す例では、例えば、イベントＩＤ「Ｇ１」の参加型イベントは、２０１３年５月１日の１２時から１４時までに開催されるクイズ大会であり、ＤＳ−ＩＤ「Ｄ１」のデジタルサイネージ２およびＡＰ−ＩＤ「Ａ１」の無線ＬＡＮアクセスポイント３が用いられることを示す。また、イベントＩＤ「Ｇ１」の参加型イベントは、参加定員が５０台であり、告知期間が参加型イベント開催の１時間前から参加型イベントの終了までの間である。
【００６０】
イベント部５１は、イベント情報テーブルに設定されたイベント情報に基づいて、参加型イベントを実行する。例えば、イベント部５１は、イベント情報テーブルに設定された「告知期間」の間、無線端末５からエントリ要求を受け付け、無線端末５を参加型イベントに参加させる。イベント部５１は、参加型イベントに参加している無線端末５からの操作情報を受け付け、無線端末５に対して、操作情報に応じたイベントコンテンツを送信する。
【００６１】
無線端末５へ送信されるイベントコンテンツには、表示コンテンツおよび音声コンテンツが含まれる。無線端末５の制御部（図示せず）は、イベントコンテンツのうち表示コンテンツを無線端末５の表示部（図示せず）で表示し、イベントコンテンツのうち音声コンテンツは、無線端末５のスピーカ（図示せず）から出力する。
【００６２】
また、イベント部５１は、デジタルサイネージ２に対して、参加型イベントの進行に応じたイベントコンテンツを送信する。デジタルサイネージ２へ送信されるイベントコンテンツには、表示コンテンツおよび音声コンテンツが含まれる。デジタルサイネージ２の制御部（図示せず）は、イベントコンテンツのうち表示コンテンツをデジタルサイネージ２の表示部（図示せず）で表示し、イベントコンテンツのうち音声コンテンツは、デジタルサイネージ２のスピーカ（図示せず）から出力する。
【００６３】
また、イベント部５１は、デジタルサイネージ２に対して広告主から受け付けた広告コンテンツを送信する。広告コンテンツとしては、例えば、静止画、動画、アニメーションなどの種々のコンテンツがある。イベント部５１は、かかる広告コンテンツを含む広告要求を広告主端末（図示せず）から取得し、広告情報ＤＢ４３の広告情報テーブルに設定する。
【００６４】
図５は、広告情報テーブルの一例を示す図である。図５に示すように、広告情報テーブルは、「広告ＩＤ」毎に、「イベントＩＤ」、「広告情報」、「特典情報」および「広告料」が関連付けられた情報である。
【００６５】
「広告ＩＤ」は、広告主端末から送信される広告要求に対して割り当てられる識別情報である。「イベントＩＤ」は、上述したイベント情報テーブルの「イベントＩＤ」であり、かかるイベントＩＤは、例えば、広告要求に含まれる。これにより「広告ＩＤ」に対して「イベントＩＤ」で特定される参加型イベントが関連付けられる。
【００６６】
「広告情報」は、デジタルサイネージ２に表示される広告コンテンツの情報であり、上述したように、静止画、動画、アニメーションなどの種々のコンテンツがある。「特典情報」は、広告主から提供される特典情報であり、例えば、割引クーポン、優待券、粗品交換券などの情報である。また、特典情報は、参加型イベントでアイテムを購入するためのポイントなどであってもよい。
【００６７】
「広告料」は、デジタルサイネージ２に広告コンテンツを表示するための対価であり、「広告料」として、例えば、広告主から情報提供システム１の運営者へ支払われる金額が設定される。図５に示す例では、「広告料」として、「参加数×参加時間×基準単価」が設定される。かかる例は、成功報酬型の料金設定であるが、固定料金を設定することもできる。
【００６８】
（検出部５２）
検出部５２は、無線ＬＡＮアクセスポイント３を経由してウェブサーバ６などのサイトへアクセス可能な無線端末５を、無線ＬＡＮアクセスポイント３から送信される端末情報に基づいて検出する。端末情報には、上述したように、無線端末５の端末ＩＤおよび通信中状態であるか否かの情報が含まれており、通信中状態である無線端末５をサイトへアクセス可能な無線端末として検出する。
【００６９】
検出部５２は、サイトへアクセス可能であると判定した無線端末５の情報を、ＡＰ情報ＤＢ４２のＡＰ情報テーブルに設定する。図６は、ＡＰ情報テーブルの一例を示す図である。図６に示すように、ＡＰ情報テーブルは、「ＡＰ−ＩＤ」毎に、「端末ＩＤ」、「進入時刻」、「電波強度」、「通知状態」および「参加状態」が関連付けられた情報である。
【００７０】
「端末ＩＤ」は、対応するＡＰ通信エリア８内に存在する無線端末５の端末ＩＤである。例えば、図６に示す例では、ＡＰ−ＩＤ「Ａ１」の無線ＬＡＮアクセスポイント３1の通信エリア８1内に、端末ＩＤ「Ｔ１」、「Ｔ２」の無線端末５1、５2などが存在していることを示している。
【００７１】
「電波強度」は、ＡＰ通信エリア８内に存在する無線端末５の電波強度の情報である。図６に示す例では、便宜上、各端末ＩＤに対応して最新の電波強度の情報が示されているが、無線端末５がＡＰ通信エリア８へ進入したときからの電波強度の情報やその平均値がＡＰ情報テーブルに設定される。また、図６に示す例では、電波強度を０〜１０の範囲で強度が高いほど値が大きくなる強度レベルで表しているが、その他の単位（例えば、ｄＢｍ）で設定することもできる。
【００７２】
検出部５２は、無線ＬＡＮアクセスポイント３から通信中状態である情報を含む端末情報を受信した場合、端末情報に含まれる「ＡＰ−ＩＤ」に対応付けて、端末情報に含まれる端末ＩＤおよび電波強度の情報をＡＰ情報テーブルに設定する。
【００７３】
「進入時刻」は、ＡＰ通信エリア８への無線端末５の進入時刻である。かかる進入時刻と現時刻とを比較することによってＡＰ通信エリア８内での無線端末５の滞在時間を検出することができる。かかる「進入時刻」は、検出部５２により設定される。なお、検出部５２は、通信中状態である情報を含む端末情報の受信を開始した時刻を「進入時刻」とするが、通信中状態であるか否かとは無関係に端末情報の受信を開始した時刻を「進入時刻」とすることもできる。
【００７４】
「通知状態」は、無線端末５へ告知情報を通知したか否かの状態を示す情報であり、無線端末５へ告知情報を通知した場合には「１」が設定され、無線端末５へ告知情報を通知していない場合には「０」が設定される。かかる「通知状態」の情報は、情報提供部５３によって更新される。
【００７５】
「参加状態」は、無線端末５のユーザが無線端末５を用いて参加型イベントに参加しているか否かの状態を示す情報であり、参加型イベントに参加している場合には「１」が設定され、参加型イベントに参加していない場合には「０」が設定される。かかる「参加状態」の情報は、イベント部５１によって更新される。
【００７６】
ＡＰ情報テーブルに情報が設定された無線端末５がその後ＡＰ通信エリア８から退出した場合、検出部５２は、退出した無線端末５の情報をＡＰ情報テーブルから削除し、かかる無線端末５の情報を無線端末５の退出時刻と共に履歴情報として管理する。
【００７７】
検出部５２は、イベント情報テーブルに設定された「参加定員」およびＡＰ情報テーブルに設定された「通知状態」に基づいて、参加型イベントへの無線端末５の参加状態を検出する。具体的には、検出部５２は、イベント情報テーブルに設定された「参加定員」の情報と、ＡＰ情報テーブルの「通知状態」に「１」が設定された無線端末５の数とを抽出する。
【００７８】
例えば、ＡＰ−ＩＤ「Ａ１」に対応するイベントＩＤ「Ｇ１」で規定される参加型イベントにおいて、ＡＰ−ＩＤ「Ａ１」に対応する「通知状態」の数が「３０」であるとする。この場合、検出部５２は、イベントＩＤ「Ｇ１」に対応する「参加定員」の情報として「５０台」をイベント情報テーブルから取得し、また、ＡＰ−ＩＤ「Ａ１」に対応する「通知状態」の数として、「３０」をＡＰ情報テーブルから取得する。そして、検出部５２は、イベントＩＤ「Ｇ１」に対応する参加型イベントへの無線端末５の参加状態が「６０％」であると判定する。
【００７９】
（情報提供部５３）
情報提供部５３は、参加型イベントが開催される場合に、サイトへアクセス可能な無線端末５に対して、告知情報を無線ＬＡＮアクセスポイント３経由で通知する。
【００８０】
情報提供部５３によって無線端末５へ提供される告知情報は、イベント情報ＤＢ４１に記憶された告知情報テーブルに設定されている。図７は、告知情報テーブルの一例を示す図である。図７に示すように、「イベントＩＤ」毎に、「告知情報」、「告知方法」、「参加数条件」および「滞在条件」が関連付けられた情報である。
【００８１】
「告知情報」は、イベント情報ＤＢ４１に記憶された告知情報のファイル名を示す情報である。例えば、イベントＩＤ「Ｇ１」の告知情報は、ファイル名「notice1.data」としてイベント情報ＤＢ４１へ記憶されていることを示す。
【００８２】
「告知方法」は、無線端末５に対する告知情報の通知方法を示す情報であり、図７に示す例では、「ページ」と「プッシュ」がある。「ページ」は、無線端末５がウェブサーバ６などのサイトへアクセスした場合に、サイトから送信されるページに告知情報を挿入して無線端末５のユーザへ通知する方法である。一方、「プッシュ」は、情報提供装置４から告知情報を無線ＬＡＮアクセスポイント３経由で直接無線端末５へ通知する方法である。
【００８３】
告知方法が「ページ」である場合、例えば、情報提供部５３はウェブサーバ６からの情報要求に従って告知情報をウェブサーバ６へ送信し、ウェブサーバ６は情報提供部５３から取得した告知情報をウェブページの所定枠に設定して無線端末５へ通知する。ウェブサーバ６は、例えば、無線端末５のユーザＩＤと端末ＩＤとを関連付けた情報を記憶しており、無線端末５がウェブサーバ６にアクセスした場合に、かかる無線端末５のユーザＩＤに対応する端末ＩＤを含む情報要求を情報提供装置４へ送信する。ユーザＩＤは、例えば、ウェブサーバ６と無線端末５との間で送受信されるＨＴＴＰクッキー（HyperText  Transfer  Protocol  Cookie）に設定されるユーザ識別情報に該当する。情報提供装置４は、情報要求に含まれる端末ＩＤに対応する告知情報を告知情報テーブルから読み出し、読み出した告知情報をウェブサーバ６へ送信する。
【００８４】
なお、ウェブサーバ６は、ウェブページに情報提供装置４のＵＲＬを設定し、これにより、無線端末５から情報提供装置４へアクセスさせるようにしてもよい。情報提供装置４のＵＲＬとして、無線端末５の端末ＩＤを特定する情報を含むことにより、情報提供部５３は、無線端末５の無線ＩＤに対応する告知情報を告知情報テーブルから読み出し、読み出した告知情報を無線端末５へ送信することができる。
【００８５】
告知方法が「プッシュ」である場合、情報提供部５３は、サイトへアクセス可能な無線端末５の端末ＩＤに対応する告知情報を告知情報テーブルから読み出し、読み出した告知情報を無線ＬＡＮアクセスポイント３経由で無線端末５へ送信する。
【００８６】
図８は、無線端末５の表示部に表示される告知情報の例を示す図である。告知方法が「ページ」の場合、例えば、図８（ａ）に示すように、無線端末５のユーザがウェブサーバ６に対して価格比較サイトページ７０ａの送信を要求すると、かかる価格比較サイトページ７０ａに告知情報７１ａが挿入されて無線端末５の表示部に表示される。
【００８７】
また、告知方法が「プッシュ」の場合、例えば、図８（ｂ）に示すように、無線端末５において待機時に表示部に表示される待機画面７０ｂに告知情報７１ｂが表示される。なお、告知方法が「プッシュ」の場合に、無線端末５のユーザがウェブサーバ６の価格比較サイトページを表示部に表示していれば、例えば、図１Ａに示すように価格比較サイトページ上に、告知情報が重畳表示される。
【００８８】
図８に示す告知情報７１ａ、７１ｂは、一例であり、かかる表示内容に限定されるものではない。例えば、情報提供部５３は、告知情報として、参加型イベントの開催日時、開催場所の地図、内容を含む情報であってもよく、また、動画像やアニメーションなどの情報のほか、音声情報やバイブレーション情報などにより無線端末５に参加型イベントの開催を通知する情報であってもよい。なお、バイブレーション情報は、例えば、無線端末５が有する振動部を動作させる情報である。
【００８９】
「参加数条件」は、無線端末５に対して告知情報の通知を行うか否かの条件である。例えば、イベント情報テーブルが図４に示す状態であり、かつ、告知情報テーブルが図７に示す状態である場合、イベントＩＤ「Ｇ１」に対応する参加型イベントの参加定員に対する参加済み無線端末５の数が４０台（＝５０台×８０％）以下である場合、「参加数条件」を満たすと判定する。
【００９０】
「滞在条件」は、告知情報を通知する無線端末５の無線ＬＡＮアクセスポイント３の通信エリア８での滞在条件であり、情報提供部５３は、「参加数条件」および「滞在条件」を満たす場合に、無線端末５に対して告知情報の通知を行う。
【００９１】
例えば、イベント情報テーブルが図４に示す状態であり、かつ、告知情報テーブルが図７に示す状態であるとする。また、イベントＩＤ「Ｇ１」に対応する参加型イベントの参加定員に対する参加済み無線端末５の数が４０台（＝５０台×８０％）以下であるとする。イベントＩＤ「Ｇ１」に対応する参加型イベントに対応する「滞在条件」は、「強度レベルが４以下、滞在時間が１分以上」である。情報提供部５３は、ＡＰ−ＩＤ「Ａ１」の無線ＬＡＮアクセスポイント３の通信エリア８において、電波強度の強度レベルが４以下、滞在時間が１分以上である無線端末５のうち、イベントＩＤ「Ｇ１」に対応する参加型イベントに参加していない無線端末５に対して告知情報を通知する。
【００９２】
なお、デジタルサイネージ２は、無線ＬＡＮアクセスポイント３の近傍に配置されており、無線端末５の電波強度は、デジタルサイネージ２に近いほど強度レベルが高くなり、一方、デジタルサイネージ２から遠いほど強度レベルが低くなる。図７に示す告知情報テーブルでは、デジタルサイネージ２から遠い場所にいる無線端末５に対して告知情報を通知するように「滞在条件」が設定されているが、例えば、電波強度の強度レベルが高い無線端末５に対して告知情報を送信するように「滞在条件」を設定することもできる。
【００９３】
（算出部５４）
算出部５４は、参加型イベントへの無線端末５の参加状態に応じて、デジタルサイネージ２への広告コンテンツの表示料金を算出する。例えば、図５に示す広告情報テーブルのように「広告料」として「参加数×参加時間×基準単価」が設定される。例えば、参加数が５０台、参加平均時間が３０分、かつ、基準単価が５円／分である場合、算出部５４により、広告料として、７５００円（＝５０×３０×５）が算出される。
【００９４】
なお、参加数は、参加型イベントに参加している無線端末５の数である。また、図５に示す広告情報テーブルは、一例であり、例えば、「参加数×基準単価」のみで広告料を算出してもよく、また、その他の算出方法であってもよい。
【００９５】
（特典付与部５５）
特典付与部５５は、告知情報を通知後に参加型イベントに参加した無線端末５に対し、特典情報を送信する。特典情報は、デジタルサイネージ２へ広告コンテンツを提供する広告主から提供される特典の情報であり、広告情報テーブルに設定される。特典付与部５５は、告知情報を通知後に無線端末５が参加した参加型イベントのイベントＩＤに対応する特典情報を広告情報テーブルから取得し、無線ＬＡＮアクセスポイント３を介して無線端末５へ送信する。
【００９６】
例えば、イベント情報テーブルが図４に示す状態で、広告情報テーブルが図５に示す状態で、かつ、ＡＰ情報テーブルが図６に示す状態であるとする。イベントＩＤ「Ｇ１」に対応する特典情報は、「クーポン情報Ｃ１」である。情報提供部５３は、ＡＰ−ＩＤ「Ａ１」に対応する端末ＩＤの無線端末５のうち、「通知状態」が「０」に設定され、かつ、「参加状態」を「０」から「１」へ変更する端末ＩＤの無線端末５に対して、ＡＰ−ＩＤ「Ａ１」の無線ＬＡＮアクセスポイント３を介して「クーポン情報Ｃ１」を送信する。
【００９７】
〔５．情報提供システム１の処理フロー〕
次に、実施形態に係る情報提供システム１による情報提供処理の手順について説明する。図９〜図１２は、情報提供システム１による情報提供処理フローを説明するための図である。以下においては、図９を参照して無線ＬＡＮアクセスポイント３の処理を説明し、図１０〜図１２を参照し、情報提供装置４の処理を説明する。
【００９８】
（無線ＬＡＮアクセスポイント３の処理）
まず、実施形態に係る無線ＬＡＮアクセスポイント３の情報処理について、図９を参照して説明する。図９は、無線ＬＡＮアクセスポイント３における情報処理のフローチャートである。かかる動作は、無線ＬＡＮアクセスポイント３の制御部２３によって繰り返し実行される処理である。
【００９９】
図９に示すように、無線ＬＡＮアクセスポイント３の制御部２３は、無線端末５を検出したか否かを判定する（ステップＳ２０）。かかる処理において、無線端末５を検出したと判定すると（ステップＳ２０；Ｙｅｓ）、ＷＡＮ通信部２２を介して端末情報を情報提供装置４へ送信する（ステップＳ２１）。
【０１００】
ステップＳ２０の処理において、無線端末５を検出していないと判定した場合（ステップＳ２０；Ｎｏ）、または、ステップＳ２１の処理が終了した場合、制御部２３は、通信ネットワーク７に接続されたＷＡＮ側装置からＷＡＮ通信部２２を介して情報を受信したか否かを判定する（ステップＳ２２）。ＷＡＮ側装置から情報を受信したと判定すると（ステップＳ２２；Ｙｅｓ）、制御部２３は、受信した情報をこの情報の宛先となるＬＡＮ側装置へ転送する（ステップＳ２３）。なお、ＬＡＮ側装置は、デジタルサイネージ２や無線端末５である。
【０１０１】
ステップＳ２２において、情報を受信していないと判定した場合（ステップＳ２２；Ｎｏ）、または、ステップＳ２３の処理が終了した場合、制御部２３は、ＬＡＮ側装置からＷＡＮ側装置に対する要求があるか否かを判定する（ステップＳ２４）。ＬＡＮ側装置からＷＡＮ側装置に対する要求があると判定すると（ステップＳ２４；Ｙｅｓ）、制御部２３は、ＬＡＮ側装置からＷＡＮ側装置に対する要求を、ＷＡＮ通信部２２を介してＷＡＮ側装置に転送する（ステップＳ２５）。
【０１０２】
ステップＳ２５の処理が終了した場合、または、ステップＳ２４において、ＬＡＮ側装置からＷＡＮ側装置に対する要求がないと判定された場合（ステップＳ２４；Ｎｏ）、制御部２３は処理を終了する。制御部２３は、例えば、ステップＳ２０、Ｓ２１の処理、ステップＳ２２、Ｓ２３の処理、および、ステップＳ２４、Ｓ２５の処理をそれぞれマルチタスク処理によって実行することができる。
【０１０３】
（情報提供装置４の処理）
次に、情報提供装置４の処理について説明する。図１０は、情報提供装置４における情報処理のフローチャートである。かかる動作は、情報提供装置４の制御部３２によって繰り返し実行される処理である。
【０１０４】
図１０に示すように、制御部３２は、通信部３０を介して無線ＬＡＮアクセスポイント３から送信される検出情報を受け付けたか否かを判定する（ステップＳ３０）。端末情報を受け付けた場合（ステップＳ３０；Ｙｅｓ）、制御部３２は、受け付けた端末情報に基づいて通知処理を実行する（ステップＳ３１）。かかる通知処理は、図１１に示すステップＳ４０〜Ｓ４２の処理であり、後で詳述する。
【０１０５】
ステップＳ３０において、端末情報を受け付けていない場合（ステップＳ３０；Ｎｏ）、または、ステップＳ３１の処理が終了した場合、制御部３２は、通信部３０を介して無線端末５からイベント参加要求を受け付けたか否かを判定する（ステップＳ３２）。イベント参加要求を受け付けた場合（ステップＳ３２；Ｙｅｓ）、制御部３２は、イベント参加処理を実行する（ステップＳ３３）。かかるイベント参加処理は、図１２に示すステップＳ５０〜Ｓ５２の処理であり、後で詳述する。
【０１０６】
ステップＳ３２において、イベント参加要求を受け付けていない場合（ステップＳ３２；Ｎｏ）、または、ステップＳ３３の処理が終了した場合、制御部３２は、イベント処理があるか否かを判定する（ステップＳ３４）。
【０１０７】
イベント処理がある場合（ステップＳ３４；Ｙｅｓ）、制御部３２は、イベント処理を実行する（ステップＳ３５）。イベント処理は、参加型イベントに関する処理であり、例えば、無線ＬＡＮアクセスポイント３や無線端末５へイベントコンテンツを送信する処理や、無線端末５から送信される操作情報に応じた処理である。
【０１０８】
イベント処理がない場合（ステップＳ３４；Ｎｏ）、または、ステップＳ３５の処理が終了した場合、制御部３２は、参加型イベントが終了したか否かを判定する（ステップＳ３６）。かかる処理において、制御部３２は、イベント情報テーブルに規定された開催日時の情報に基づいて、イベントが終了したか否かを判定する。
【０１０９】
参加型イベントが終了したと判定すると（ステップＳ３６；Ｙｅｓ）、制御部３２は、広告料算出処理を実行する（ステップＳ３７）。かかる処理において、制御部３２は、例えば、参加型イベントへの無線端末５の参加状態に応じて、デジタルサイネージ２への広告コンテンツの広告料を算出する。
【０１１０】
ステップＳ３７の処理が終了した場合、または、ステップＳ３６において参加型イベントが終了していない場合（ステップＳ３６；Ｎｏ）、制御部３２は、処理を終了する。
【０１１１】
次に、図１０に示すステップＳ３１に示す通知処理について説明する。図１１は、情報提供装置４における通知処理のフローチャートである。
【０１１２】
図１１に示すように、通知処理では、制御部３２は、告知情報テーブルに設定された情報に基づいて、通知条件を充足するか否かを判定する（ステップＳ４０）。具体的には、制御部３２は、端末情報を送信した無線ＬＡＮアクセスポイント３に対応する参加型イベントの状態が参加数条件を満たし、かつ、端末情報に対応する無線端末５が滞在条件を満たす場合に通知条件を充足すると判定する。
【０１１３】
告知情報テーブルが図７に示す状態である場合、制御部３２は、例えば、イベントＩＤ「Ｇ１」の参加型イベントに参加している無線端末５の数が８０％以下であり、「強度レベルが４以下、滞在時間が１分以上」である無線端末５が存在するか否かを判定する。
【０１１４】
ステップＳ４０において、通知条件を充足すると判定すると（ステップＳ４０；Ｙｅｓ）、制御部３２は、滞在条件を充足する無線端末５のうち、告知情報を送信していない無線端末５（以下、未通知端末と記載する）が存在するか否かを判定する（ステップＳ４１）。制御部３２は、ＡＰ情報テーブルにおいて、滞在条件を充足する無線端末５のうち、「通知状態」および「参加状態」が「０」に設定された無線ＩＤの無線端末５がある場合に、未通知端末が存在すると判定する。
【０１１５】
未通知端末が存在すると判定すると（ステップＳ４１；Ｙｅｓ）、制御部３２は、告知情報テーブルから告知情報を取得し、未通知端末である無線端末５へ無線ＬＡＮアクセスポイント３経由で告知情報を送信する（ステップＳ４２）。なお、制御部３２は、告知情報テーブルに設定された「告知方法」に基づいて、例えば、「ページ」または「プッシュ」による通知方法により告知情報を無線端末５へ送信する。
【０１１６】
ステップＳ４２の処理が終了した場合、ステップＳ４０において通知条件を充足していない場合（ステップＳ４０；Ｎｏ）、または、ステップＳ４１において未通知端末が存在しないと判定した場合（ステップＳ４１；Ｙｅｓ）、制御部３２は、処理を終了する。
【０１１７】
次に、図１０に示すステップＳ３３に示すイベント参加処理について説明する。図１２は、情報提供装置４におけるイベント参加処理のフローチャートである。
【０１１８】
図１２に示すように、イベント参加処理では、制御部３２は、イベント参加要求を行った無線端末５が告知通知後の参加であるか否かを判定する（ステップＳ５０）。具体的には、制御部３２は、ＡＰ情報テーブルにおいて、イベント参加要求を行った無線端末５の端末ＩＤに対応する「通知状態」が「１」である場合に、告知通知後の参加であると判定する。
【０１１９】
イベント参加要求を行った無線端末５が告知通知後の参加であると判定すると（ステップＳ５０；Ｙｅｓ）、制御部３２は、告知情報を通知後に参加型イベントに参加した無線端末５に対し、デジタルサイネージ２へ広告コンテンツを提供する広告主からの特典情報を送信する（ステップＳ５１）。
【０１２０】
ステップＳ５０において、イベント参加要求を行った無線端末５が告知通知後の参加ではないと判定した場合（ステップＳ５０；Ｎｏ）、および、ステップＳ５１の処理が終了した場合、制御部３２は、イベント参加設定を行い（ステップＳ５２）、処理を終了する。かかる処理において、制御部３２は、ＡＰ情報テーブルの「参加状態」を「０」から「１」へ変更することで、イベント参加設定行う。
【０１２１】
〔６．変形例〕
上述の実施形態においては、情報提供装置４の制御部３２が参加型イベントのイベント処理を行うようにしたが、参加型イベントのイベント処理を行うイベント処理装置を別途設けるようにしてもよい。
【０１２２】
この場合、無線ＬＡＮアクセスポイント３は、無線端末５から送信される通信パケットの宛先を解析し、かかる宛先がイベント処理装置である場合に、無線端末５が参加型イベントに参加していると判定し、その旨の情報を含む端末情報を情報提供装置４に対して送信する。情報提供装置４の検出部５２は、無線ＬＡＮアクセスポイント３から送信される端末情報に基づいてＡＰ情報テーブルを更新し、かかるＡＰ情報テーブルに基づき、参加型イベントへの無線端末５の参加状態を検出する。
【０１２３】
これにより、例えば、参加型イベントのイベント処理を行うイベント処理装置を情報提供装置４と分けた場合であっても、イベント処理装置からの情報を取得することなく、参加型イベントへの無線端末５の参加状態を適切に把握することができる。なお、情報提供装置４の制御部３２は、参加型イベントに参加している無線端末５の端末ＩＤをイベント処理装置から取得し、ＡＰ情報テーブルに設定することもできる。
【０１２４】
また、上述した実施形態では、告知情報テーブル（図７参照）において、イベントＩＤに対して、「告知方法」、「参加数条件」および「滞在条件」をそれぞれ一つ割り当てているが、これらの情報を複数割り当ててもよい。例えば、参加型イベントの開催時間との関係で、時間帯を複数にわけ、時間帯ごとに「告知方法」、「参加数条件」および「滞在条件」をそれぞれ割り当てることもできる。例えば、イベント開始前の期間は、告知方法を「ページ」、参加数条件を「６０％以下」、滞在条件を「条件なし」とし、イベント開始後は、告知方法を「プッシュ」、参加数条件を「８０％以下」、滞在条件を「強度レベルが４以下、滞在時間が１分以上」とすることもできる。
【０１２５】
また、制御部３２は、端末情報を検出できる無線端末５の数との関係で、通知条件を変えることもできる。例えば、制御部３２は、端末情報を検出できる無線端末５の数が所定閾値以上の場合には、ＡＰ通信エリア８には多くの無線端末５が存在すると判定し、例えば、参加数条件を「８０％以下」、滞在条件を「強度レベルが４以下、滞在時間が１分以上」とする。一方、制御部３２は、端末情報を検出できる無線端末５の数が所定閾値未満の場合には、ＡＰ通信エリア８に存在する無線端末５が少ないと判定し、例えば、参加数条件を「１００％以下」、滞在条件を「強度レベルが２以下、滞在時間が２０秒以上」とする。このように、ＡＰ通信エリア８に存在する無線端末５の数に応じて通知条件を変更することで、告知情報の通知を適切に行うことができる。制御部３２は、端末情報を検出できる無線端末５は、通知中状態の無線端末５に限定してもよく、また、通知中状態でない無線端末５と通知中状態の無線端末５を含んでもよい。
【０１２６】
また、上述の実施形態では、告知情報の送信ルートを無線ＬＡＮアクセスポイント３経由で行うものとして説明したが、制御部３２は、無線端末５が例えば無線ＬＡＮ機能付きの携帯電話であれば、電話基地局（ＷＡＮ基地局）経由で告知情報を無線端末５へ送信することもできる。
【０１２７】
また、上述の実施形態では、一つの情報提供装置４に対して複数のデジタルサイネージ２および複数の無線ＬＡＮアクセスポイント３が対応付けられる例を示したが、情報提供装置４毎に、一つのデジタルサイネージ２および一つの無線ＬＡＮアクセスポイント３を対応付けるようにしてもよい。この場合、情報提供装置４と無線ＬＡＮアクセスポイント３とを一体的に構成してもよい。
【０１２８】
また、上述の実施形態では、通信中状態の無線端末５を、無線ＬＡＮアクセスポイント３を経由してサイトへアクセス可能な無線端末５として説明したが、制御部３２は、無線ＬＡＮアクセスポイント３を経由してサイトへ実際にアクセスしている無線端末５のみを告知対象とすることもできる。
【０１２９】
この場合、無線ＬＡＮアクセスポイント３は、例えば、無線端末５から送信される通信パケットの宛先を解析し、かかる宛先の情報をアクセス情報として情報提供装置４へ送信する。情報提供装置４は、無線ＬＡＮアクセスポイント３から取得したアクセス情報に基づいて、サイトへ実際にアクセスしている無線端末５を特定し、特定した無線端末５へ告知情報を送信する。
【０１３０】
また、無線端末５にＧＰＳ機能があり、無線端末５の緯度経度情報が取得できる場合には、無線端末５の緯度経度情報を告知情報の通知条件とするがことできる。例えば、ＡＰ通信エリア８のうち、デジタルサイネージ２の設置場所から所定の位置関係にある場所や所定の場所を告知対象エリアとし、制御部３２は、無線端末５の緯度経度情報に基づき、告知対象エリアに存在する無線端末５に対して告知情報を送信することができる。
【０１３１】
また、制御部３２は、無線端末５の種類（例えば、表示部のサイズや無線端末５の機種）に応じて告知情報の内容を変更することもできる。このようにすることで、無線端末５の種類に応じた適切な告知情報を送信することができる。
【０１３２】
〔７．効果〕
実施形態にかかる情報提供システム１の情報提供装置４において、イベント情報ＤＢ（記憶手段の一例）が、無線端末５とデジタルサイネージ２とを連動させて行う参加型イベントの開催と、デジタルサイネージ２の設置位置とを告知する告知情報を記憶し、検出部５２（端末検出手段の一例）が、デジタルサイネージ２の設置位置を含むＡＰ通信エリア８を有する無線ＬＡＮアクセスポイント３を経由してサイトへアクセス可能な無線端末５を、無線ＬＡＮアクセスポイント３から送信される情報に基づいて検出し、情報提供部５３（通知手段の一例）が、参加型イベントが開催される場合に、検出部５２によって検出される無線端末５に対して、告知情報を無線ＬＡＮアクセスポイント３経由で通知する。
【０１３３】
かかる構成により、参加型イベントが実施されるデジタルサイネージ２の設置位置へ無線端末５のユーザを積極的に誘導することができ、例えば、デジタルサイネージ２に広告コンテンツを表示する場合に、広告コンテンツを多くの無線端末５のユーザに認識させることができる。
【０１３４】
また、情報提供部５３が、参加型イベントへの無線端末５の参加状態に応じて、参加型イベントへ未参加の無線端末５に対し無線ＬＡＮアクセスポイント３経由で告知情報を通知する。
【０１３５】
かかる構成により、例えば、参加している無線端末５が少ない場合に告知情報を通知し、参加している無線端末５の数が参加定員に到達している場合には告知情報を通知しないなど、告知情報の通知を適切に行うことができる。
【０１３６】
また、算出部５４（算出手段の一例）が、参加型イベントへの無線端末５の参加状態に応じて、デジタルサイネージ２への広告コンテンツの表示料金を算出する。
【０１３７】
かかる構成により、広告コンテンツのデジタルサイネージ２への表示に対して適切な広告料を設定することができる。
【０１３８】
また、特典付与部５５（特典送信手段の一例）が、告知情報を通知後に参加型イベントに参加した無線端末５に対し、デジタルサイネージ２へ広告コンテンツを提供する広告主からの特典情報を送信する。
【０１３９】
かかる構成により、告知情報を通知後に参加型イベントに参加した無線端末５に対し、特典情報が送信されることから、参加型イベントへの参加を積極的に促すことができる。
【０１４０】
また、検出部５２（参加状態検出手段の一例）が、参加型イベントへの無線端末５の参加状態を、無線ＬＡＮアクセスポイント３から送信される情報に基づいて検出する。
【０１４１】
かかる構成により、例えば、参加型イベントのイベント処理を行うイベント処理装置を情報提供装置４と分けた場合であっても、イベント処理装置からの情報を取得することなく、参加型イベントへの無線端末５の参加状態を適切に把握することができる。
【０１４２】
また、検出部５２（端末状態検出手段の一例）が、無線ＬＡＮアクセスポイント３における無線端末５の滞在時間および／または電波強度を検出し、情報提供部５３が、検出部５２によって検出された滞在時間および／または電波強度が所定条件を満たす無線端末５に対して無線ＬＡＮアクセスポイント３経由で告知情報を通知する。
【０１４３】
かかる構成により、無線ＬＡＮアクセスポイント３の通信エリア８に存在する無線端末５の全てへ告知情報を送信することがなく、情報提供装置４における処理負荷を軽減することができ、また、適切な無線端末５に対して告知情報を送信することができる。
【０１４４】
〔８．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１４５】
上述した情報提供装置４は、それぞれ複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【符号の説明】
【０１４６】
１  情報提供システム
２1〜２m、２  デジタルサイネージ
３1〜３m、３  無線ＬＡＮアクセポスイント
４  情報提供装置
５1〜５n、５  無線端末
６  ウェブサーバ
７  通信ネットワーク
８1〜８m、８  ＡＰ通信エリア
２１  無線ＬＡＮ通信部
２２  ＷＡＮ通信部
２３  制御部
２５  中継部
２６  検出部
３０  通信部
３１  記憶部
３２  制御部
４１  イベント情報ＤＢ
４２  ＡＰ情報ＤＢ
４３  広告情報ＤＢ
５１  イベント部
５２  検出部
５３  情報提供部
５４  算出部
５５  特典付与部
【図１Ａ】
2014157262.tif 000003
【図１Ｂ】
2014157262.tif 000004
【図２】
2014157262.tif 000005
【図３Ａ】
2014157262.tif 000006
【図３Ｂ】
2014157262.tif 000007
【図４】
2014157262.tif 000008
【図５】
2014157262.tif 000009
【図６】
2014157262.tif 000010
【図７】
2014157262.tif 000011
【図８】
2014157262.tif 000012
【図９】
2014157262.tif 000013
【図１０】
2014157262.tif 000014
【図１１】
2014157262.tif 000015
【図１２】
2014157262.tif 000016